(57)【要約】      （修正有）【課題】美容効果が向上した美容器を提供する。【解決手段】美容器１は、ハンドル２０と、それぞれハンドル２０に取り付けられる第１回転体および第２回転体と、を備える。第１回転体および第２回転体は、炭素成形体であり、回転軸の間隔がハンドル２０から離れるほど大きい。さらに、第１回転体および前記第２回転体は、球状に形成され、表面には、複数の凹部が形成されている。この態様によれば、炭素成形体である第１回転体および第２回転体から放射される遠赤外線とそれら２つの回転体により肌が摘み上げられることにより、肌の血流およびリンパ液の循環が促進され、細胞活性化が図られる。【選択図】図１
2019013722.tif 000002
【特許請求の範囲】
【請求項１】
ハンドルと、
それぞれ前記ハンドルに取り付けられる第１回転体および第２回転体と、を備え、
前記第１回転体および前記第２回転体は、炭素成形体であり、回転軸の間隔が前記ハンドルから離れるほど大きいことを特徴とする美容器。
【請求項２】
前記第１回転体および前記第２回転体は、球状に形成されていることを特徴とする請求項１に記載の美容器。
【請求項３】
前記第１回転体および前記第２回転体の表面には、複数の凹部が形成されていることを特徴とする請求項１または２に記載の美容器。
【請求項４】
前記複数の凹部は、回転軸方向における一端側から他端側に向かって延びる溝であることを特徴とする請求項３に記載の美容器。
【発明の詳細な説明】
【技術分野】
【０００１】
本発明は、肌に美容効果を与える美容器に関する。
【背景技術】
【０００２】
回転体、すなわちローラを肌にあてて転がす美容器が知られている。顔に使用すると、あご周りのフェイスラインが引き締まり、リフトアップ効果が実感できる。より積極的に、リンパマッサージの要領で使えば、老廃物の排出が促進され、新陳代謝が上がり、肌艶を改善できる。脚に使えばむくみやセルライトもとれやすく、とりわけ女性には嬉しい効果である。
【０００３】
特許文献１および２には、ローラを肌にあてて転がす美容器が開示されている。これらの美容器を使用すると、ローラにより肌がマッサージされて、血流の促進やリフトアップといった効果が得られる。
【先行技術文献】
【特許文献】
【０００４】
【特許文献１】実用新案登録第３１９４０３３号公報
【特許文献２】特開２０１３−１０３０８６号公報
【発明の概要】
【発明が解決しようとする課題】
【０００５】
美容器の利用者の多くは女性である。美を意識する女性は、より高い美容効果が得られる美容器を常に求めている。こうした状況において本発明者は、美容効果の向上という観点で、美容器に改善の余地があると考えるに至った。
【０００６】
本発明は、この課題に鑑みてなされたものであり、その目的は、美容効果が向上した美容器を提供することにある。
【課題を解決するための手段】
【０００７】
本発明のある態様は、美容器である。この美容器は、ハンドルと、それぞれハンドルに取り付けられる第１回転体および第２回転体と、を備える。第１回転体および第２回転体は、炭素成形体であり、回転軸の間隔が前記ハンドルから離れるほど大きい。
【０００８】
この態様によれば、炭素成形体である第１回転体および第２回転体から放射される遠赤外線とそれら２つの回転体により肌が摘み上げられることにより、肌の血流およびリンパ液の循環が促進され、細胞活性化が図られる。
【発明の効果】
【０００９】
以上のように、本発明の美容器によれば、美容効果が向上した美容器を提供できる。
【図面の簡単な説明】
【００１０】
【図１】第１の実施形態における美容器の斜視図である。
【図２】第１の実施形態における美容器の上面図である。
【図３】第１の実施形態における美容器の使用状態を示す正面図である。
【図４】第１の実施形態における美容器の使用状態を示す側面図である。
【図５】図２のＡ−Ａ線における部分断面図である。
【図６】図２のＢ−Ｂ線における断面図である。
【図７】第１の実施形態におけるハンドルのベース体の部分上面図である。
【図８】第１の実施形態における保持部材を示す図である。
【図９】第１の実施形態における軸受けの斜視図である。
【図１０】図１０（ａ）、（ｂ）は、第１の実施形態における美容器による作用効果を説明するための模式図である。
【図１１】第１の実施形態における美容器の他の構成を示す図である。
【図１２】第２の実施形態における美容器の断面図である。
【図１３】第３の実施形態における美容システムの概略構成図である。
【図１４】第３の実施形態における美容器の部分断面図である。
【図１５】第４の実施形態における美容器の斜視図である。
【図１６】図１６（ａ）は第４の実施形態における美容器の上面図、図１６（ｂ）は正面図、図１６（ｃ）は底面図である。
【図１７】図１６（ａ）のＣ−Ｃ線における断面図である。
【図１８】図１６（ａ）のＤ−Ｄ線における部分断面図である。
【図１９】図１６（ｂ）のＥ−Ｅ線における部分断面図である。
【図２０】第４の実施の形態における美容器のローラの部分断面図である。
【図２１】第５の実施の形態における美容器ユニット３００の斜視図である。
【図２２】第５の実施の形態における美容器ユニット３００の正面図である。
【図２３】第５の実施の形態における美容器ユニット３００の側面図である。
【図２４】第５の実施の形態における美容器ユニット３００の平面図である。
【図２５】第５の実施の形態における置き台の斜視図である。
【図２６】図２２のＦ−Ｆ線における断面図である。
【図２７】図２４のＧ−Ｇ線における部分断面図である。
【図２８】図２８（ａ）および（ｂ）は、変形例１における美容器を示す概略図である。
【図２９】図２９（ａ）および（ｂ）は、変形例２における美容器を示す概略図である。
【図３０】変形例における美容器のローラとその周辺を示す。
【発明を実施するための形態】
【００１１】
以下の実施形態では、同一の構成要素に同一の符号を付し、重複する説明を省略する。また、各図面では、説明の便宜のため、構成要素の一部を適宜省略する。
【００１２】
［第１の実施形態］
図１は第１の実施形態における美容器１の斜視図、図２は美容器１の上面図、図３は美容器１の使用状態を示す正面図、図４は美容器１の使用状態を示す側面図である。
【００１３】
美容器１は、一対のローラ１０およびハンドル２０を有する。各ローラ１０は、球状に形成された表面が黒色の回転体であり、ハンドル２０の一端に設けられている二股部２０１に回転可能に支持されている。美容器１の使用者は、ハンドル２０を持って顔や腕などにローラ１０をあてて転がす。ローラ１０の間で肌が摘み上げられたり押し広げられ、接触部分の血流やリンパ液の循環が促進する。また、肌がリフトアップされて張りがでる。このように、美容器１により、いろいろな美容効果を得ることができる。
【００１４】
ローラ１０は、表面に多数の三角形の面１０１を有する球状に形成されている。ただし、ローラ１０は、球状以外、楕円体形状、円柱形状などであってもよい。また、面１０１は、三角形以外の多角形や円形などであってもよい。さらに、面１０１を設けずに、全面平滑面とすることもできる。
【００１５】
ローラ１０は、炭素を含む材料により形成された炭素成形体である。原材料は、黒鉛の炭素粉にバインダが添加されたものである。この原材料を加圧して球状に成形し、高温で長時間かけて焼成することでローラ１０ができる。焼成することで、炭素粉同士が結合して結晶化、すなわち黒鉛化と定形炭素化がなされる。
【００１６】
炭素の特性により、ローラ１０は熱伝導率および放射率が高い。このため、ローラ１０は、美容器１の使用開始から短時間で肌３０と同程度の温度に温められ、遠赤外線の放射量が増える。ローラ１０から肌３０に遠赤外線が放射されると、肌３０の血流およびリンパ液の循環が促進される。
【００１７】
ローラ１０は、回転軸Ｘを中心に回転可能にハンドル２０に支持されている。ローラ１０の回転軸Ｘに直交する方向における最大径Ｌは４０ｍｍとする。ローラ１０の最大径Ｌは、美容器１を顔や腕に使用するために、本出願人による実験結果では、１５〜６０ｍｍが好ましく、３２〜５５ｍｍがより好ましく、３８〜４５ｍｍが特に好ましい。ローラ１０の最大径Ｌが１５ｍｍより小さいと、ローラ１０と肌３０との接触領域が小さくなり、美容器１による十分な作用効果が得られない場合がある。一方、ローラ１０の最大径Ｌが６０ｍｍより大きいと、身体の部位によっては、ローラ１０を押しあてて回転させることが難しくなる場合がある。
【００１８】
一対のローラ１０の間隔Ｄは、１１．５ｍｍとする。ローラ１０の間隔Ｄは、肌３０の摘み上げまたは押し広げを適切に行うために、８〜２５ｍｍが好ましく、９〜１５ｍｍがより好ましく、１０〜１３ｍｍが特に好ましい。間隔Ｄが８ｍｍより小さいと、肌３０を摘み上げる力が強くなりすぎたり、押し広げにくくなる場合がある。一方、間隔Ｄが２５ｍｍより大きいと、肌３０を摘み上げにくくなる場合がある。
【００１９】
一対のローラ１０は、それぞれ、ハンドル２０の一端側に設けられている後述の支持軸に取り付けられている。２つの支持軸は、ローラ１０の回転軸Ｘの間隔がハンドル２０から離れるほど大きくなるように設けられている。これにより、図３に示すようにローラ１０を肌３０にあてて矢印Ｒ方向に動かすと、２つのローラ１０の間に巻き込まれるように肌３０が摘み上げられる。逆に矢印Ｌ方向に動かすと、２つのローラ１０により肌３０が押し広げられる。２つのローラ１０の回転軸Ｘに開き角αを設けることで、肌３０の摘み上げおよび押し広げという二通りの使い方が可能になる。
【００２０】
開き角αは、７５度とする。開き角αは、ローラ１０が肌３０を摘み上げまたは押し広げやすくなるように、５０〜１１０度が好ましく、５０〜９０度がより好ましく、６５〜８０度が特に好ましい。開き角αが５０度より小さいと、肌３０を摘み上げる力が強くなりすぎたり、押し広げにくくなる場合がある。一方、開き角αが１１０度より大きいと、肌３０を摘み上げにくくなる場合がある。
【００２１】
ローラ１０は、回転軸Ｘがハンドル２０の中心線Ｙに対して傾斜するように設けられている。ハンドル２０の中心線Ｙは、美容器１の正面視でハンドル２０の最も厚い部分の外周接線Ｚの間の角度を２分する線と平行な線である。ローラ１０の回転軸Ｘとハンドル２０の中心線Ｙとの傾斜角βは、９５度とする。傾斜角βは、使用者がハンドル２０を持ってローラ１０を肌３０に押しあてて回転させやすい角度とする。
【００２２】
図５は、図２のＡ−Ａ線における部分断面図である。ハンドル２０は、ベース体２０２、上カバー体２０４、下カバー体２０６を有する。これらは樹脂材料により形成されている。また、上カバー体２０４および下カバー体２０６は、表面に金属メッキ層が形成されている。
【００２３】
ベース体２０２は、上カバー体２０４と下カバー体２０５との間に収容されている。上カバー体２０４は、ネジ２１０によりベース体２０２に固定されている。下カバー体２０６は、上カバー体２０４の外周縁に嵌め込まれている。
【００２４】
ベース体２０２の外周には、リング状のパッキン２１２が二色成形によりベース体２０２と一体に設けられている。パッキン２１２の外周縁は、ベース体２０２が上カバー体２０４および下カバー体２０６により覆われた状態で、上カバー体２０４の内周面に圧接して、ベース体２０２と上カバー体２０４との間の空間をシールする。
【００２５】
図６は、図２のＢ−Ｂ線における断面図である。ハンドル２０には、ローラ１０を回転可能に支持する支持軸５０が設けられている。支持軸５０は、金属材料で形成されており、基端側がハンドル２０に保持され、ハンドル２０から突出する先端側がローラ１０を回転可能に支持する。
【００２６】
図７は、第１の実施形態におけるハンドル２０のベース体２０２の部分上面図であり、ハンドル２０の二股部２０１に対応する部分が示されている。ベース体２０２には、一対の支持筒２２１が形成されている。支持筒２２１は、ローラ１０の回転軸Ｘに沿って貫通する軸孔２２２が形成されている。軸孔２２２には、支持軸５０の基端側が挿入される。ベース体２０２には、支持軸５０が軸孔２２２に挿入された状態で、支持軸５０を保持する保持部材２３０が、図６に２点鎖線で示す位置に取り付けられる。
【００２７】
図８は、第１の実施形態における保持部材２３０であり、ベース体２０２に取り付けられた状態でベース体２０２側となる面からみた図である。保持部材２３０は、樹脂材料により形成されており、保持部２３１、ネジ孔２３２を有する。保持部材２３０は、ネジ孔２３２を通ってベース体２０２の固定孔２２３に挿入されるネジにより、ベース体２０２に固定される。保持部２３１は、半円筒状に形成されており、保持部材２３０がベース体２０２に固定された状態で、支持軸５０の基端部側を保持する。
【００２８】
図６に示すように、支持軸５０は、ハンドル２０に保持される基端部側に、他の部分よりも径が小さい被保持部５０１が形成されている。また、被保持部５０１よりも径が大きい抜け止め部５０２が形成されている。支持軸５０は、基端部側がベース体２０２の軸孔２２２に挿入され、被保持部５０１が保持部材２３０の保持部２３１に保持される。この状態で、抜け止め部５０２が保持部材２３０に係止され、支持軸５０がハンドル２０から抜けなくなる。
【００２９】
ハンドル２０のローラ１０側の端部には、キャップ２４０が被せられている。キャップ２４０は、樹脂材料により円筒状に形成されており、ベース体２０２と上カバー体２０４との間、およびベース体２０２と下カバー体２０６との間をシールする。また、一方の開口が支持軸５０のフランジ部５０５に嵌り、支持軸５０のがたつきを低減する。
【００３０】
支持軸５０は、ベース体２０２の軸孔２２２の内部に位置するように形成されている凹部５０３に、シールリング５０４が取り付けられている。シールリング５０４は、支持軸５０の外周面と軸孔２２２の内周面との間をシールする。ハンドル２０は、キャップ２４０およびシールリング５０４によりローラ１０側が二重にシールされる。
【００３１】
支持軸５０は、ハンドル２０から突出する支持部５０６に、軸受け６０が取り付けられる。支持部５０６の先端部には、抜け止めリング５０７が設けられている。抜け止めリング５０７は、支持軸５０の先端に形成された溝に嵌まり、軸受け６０が支持軸５０から抜けるのを防ぐ。軸受け６０は、支持軸５０に取り付けられた状態で、内周面が支持軸５０の外周面に当接しながら回転可能な状態になる。
【００３２】
図９は、第１の実施形態における軸受け６０の斜視図である。軸受け６０は、樹脂材料により円筒状に形成されている。軸受け６０は、係止爪６０１、支持片６０２を有する。係止爪６０１は、支持片６０２の一端から軸受け６０の外方に突出するように形成されている。支持片６０２は、係止爪６０１とは反対側の端部が軸受け６０の側壁に連結されている。支持片６０２は、係止爪６０１が軸受け６０の内側に向かって押されると、撓むように弾性変形する。
【００３３】
図６に示すように、支持軸５０は、軸受け６０が取り付けられた状態で、ローラ１０に形成されている軸受け穴１１０に挿入される。軸受け穴１１０は、開口側とは反対の奥側端部の周縁に、Ｒ部１１１が形成されている。Ｒ部１１１を形成して奥側端部を曲面とすることで、軸受け穴１１０の奥側端部の周縁への応力集中を防いで割れの発生を抑制できる。軸受け穴１１０の内周面には、軸受け６０の係止爪６０１が嵌る凹部１１２が形成されている。係止爪６０１は、凹部１１２に入れられると、凹部１１２のハンドル２０側に形成される段差部１１３に係止される。これにより、支持軸５０および軸受け６０はローラ１０から抜けなくなる。
【００３４】
軸受け穴１１０に支持軸５０および軸受け６０が挿入されると、ローラ１０がハンドル２０に回転可能に支持された状態となる。ローラ１０は、肌に当てられて転がされると、軸受け６０とともに回転する。
【００３５】
また、ローラ１０とキャップ２４０との間に、衝撃吸収部としてコイルばね８０が設けられている。コイルばね８０は、ローラ１０をハンドル２０とは反対方向に押圧している。ローラ１０が何かに当たったり、床に落ちたりした場合には、コイルばね８０が圧縮してローラ１０に加えられる衝撃を吸収し、ローラ１０が受けるダメージを軽減する。なお、コイルばね８０は、軸受け６０とハンドル２０のキャップ２４０との間に設けられてもよい。衝撃吸収部としては、弾性変形して衝撃を吸収可能な弾性部材であれば、コイルばね８０以外のゴム、発砲スチロール、ウレタンシートであってもよい。
【００３６】
以上、第１の実施形態を説明した。美容器１のローラ１０は炭素成形体であり、遠赤外線の効果により肌の血流およびリンパ液の循環が促進される。また、２つのローラ１０で肌を摘み上げることで、遠赤外線効果に加えてさらなる血流促進効果や、リフトアップ効果などを得ることができる。
【００３７】
図１０（ａ）、（ｂ）は、美容器１による作用効果を説明するための模式図である。図１０（ａ）は肌３０が摘み上げられる前の状態を示し、図１０（ｂ）は肌３０が２つのローラ１０の間に巻き込まれるように肌３０が摘み上げられている状態を示す。美容器１によれば、図１０（ｂ）に示すように、２つのローラ１０の間に巻き込まれるように肌３０が摘み上げられ、摘み上げられた肌３０がローラ１０と接触する。つまり、肌３０を摘み上げることにより、肌３０と２つのローラ１０との接触面積が大きくなる。これにより、肌３０からより早くより多くの熱が２つのローラ１０に伝わり、２つのローラ１０がより短時間で肌３０と同程度の温度に温められて、あるいはより肌３０に近い温度すなわちより高い温度に２つのローラ１０が温められて遠赤外線の放出量が増加する。ところで、体内の水分子の持つ波長は炭素から放出される遠赤外線の波長とおよそ等しく、遠赤外線が体内の水分子に届くとその水分子は共鳴により振動して他の水分子と衝突する。この水分子の衝突により熱が生じ、血流やリンパ液の循環が促進される。２つのローラ１０からの遠赤外線の放出量が増加すると、体内の水分子の振動がより大きくなり、したがって水分子の衝突によってより多くの熱が生じ、血流やリンパ液の循環がさらに促進される。
【００３８】
また、美容器１によれば、２つのローラ１０の間に巻き込まれるように肌３０が摘み上げられることにより、２つのローラ１０と肌深部との距離が短くなる。例えば、２つのローラ１０と肌３０の真皮層３０ａの部分（例えば肌深部Ｓ）との距離は、図１０（ａ）、（ｂ）に示すように、肌３０が摘み上げられることにより短くなる。これにより、肌３０を摘み上げない場合には遠赤外線が真皮層３０ａには届かない場合があるところ、肌３０を摘み上げることによって遠赤外線をより確実に真皮層３０ａまで届けることができ、肌３０のより深い部分の水分子を共鳴させることができる。さらに、２つのローラ１０から放射された遠赤外線が両方とも届く部分では、水分子の振動がより大きくなる。つまり、美容器１によれば、肌３０のより深い部分で水分子のより大きい振動を起こすことができ、結果的に、肌の血流およびリンパ液の循環がより促進される。
【００３９】
なお、図１１に示す構成であってもよい。図１１に示す美容器１Ａでは、軸受け６０に第１突起６０５および第２突起６０６が形成されている。これらの突起は、回転軸方向において異なる位置で、軸受け６０の外周面から外方に向かって突出する。また、軸受け穴１１０には内側に突出する突部１２１が形成されている。第１突起６０５は、軸受け６０が軸受け穴１１０に挿入された状態で、突部１２１により形成される段差部１１３に係止される。第１突起６０５はおよび第２突起６０６は、それぞれ回転軸方向において異なる位置で軸受け穴１１０の内周面に接し、ローラ１０の回転軸方向に対するがたつきを低減する。
【００４０】
［第２の実施形態］
図１２は、第２の実施形態における美容器２の断面図である。ローラ９０は、ベース部９１およびカバー部９２を有する。ベース部９１およびカバー部９２は、第１の実施形態におけるローラ１０と同様の材料および方法により形成された炭素成形体であり、結合されて１つの球体となるように、それぞれが半球状に形成されている。
【００４１】
ベース部９１には、軸受け７５が固定される軸受け穴９１０が形成されている。軸受け穴９１０は、連通する大径部９１１および小径部９１２を有し、ベース部９１を貫通する。軸受け穴９１０に固定される軸受け７５は、円筒部７５１およびフランジ部７５２を有する。軸受け７５は、円筒部７５１が小径部９１２に挿入されて、フランジ部７５２が大径部９１１と小径部９１２との段差で係止された状態で、接着材で軸受け穴９１０に固定される。
【００４２】
軸受け穴９１０の小径部９１２に固定された軸受け７５には、支持軸５０が挿入される。支持軸５０は、軸受け７５を貫通して、先端部に抜け止めリング５０７が取り付けられる。抜け止めリング５０７は、支持軸５０の先端部に形成された溝に嵌め込まれ、軸受け７５が支持軸５０から抜けるのを防ぐ。
【００４３】
カバー部９２は、軸受け穴９１０の小径部９１２と同じ径の凹部９２１が形成されている。凹部９２１は、支持軸５０および軸受け７５の先端側を収容する。凹部９２１は、開口側とは反対の奥側端部の周縁に、Ｒ部９２２が形成されている。Ｒ部９２２により応力集中が防がれ、割れの発生が低減する。
【００４４】
カバー部９２は、凹部９２１に軸受け７５が嵌った状態でベース部９１に固定される。ベース部９１とカバー部９２とは、接着材により接合される。接合部分は、接着材の乾燥後に滑らかにつながるように研磨される。
【００４５】
美容器２には、ベース部９１の軸受け穴９１０の大径部９１１と小径部９１２との段差面と、ハンドル２０のキャップ２４０との間に、衝撃吸収部としてコイルばね８０が設けられている。コイルばね８０は、ローラ９０をハンドル２０とは反対方向に押圧する。コイルばね８０は、ローラ９０に衝撃が加えられた場合には圧縮し、ローラ９０が受けるダメージを軽減する。コイルばね８０は、軸ホルダ７５のフランジ部７５２とハンドル２０のキャップ２４０との間に設けられてもよい。
【００４６】
以上、第２の実施形態を説明した。第２の実施形態における美容器２によれば、第１の実施の形態における美容器１と同様の効果を奏することができる。また、美容器２では、ローラ９０の軸受け穴９１０に固定される軸受け７５に支持軸５０が回転可能に取り付けられる。ローラ９０の軸受け穴９１０および軸受け７５をより簡単な構成とすることができる。
【００４７】
なお、ベース部９１に固定された軸受け７５に支持軸５０を挿入して抜け止めリング５０７を取り付け可能であれば、ベース部９１およびカバー部９２の形状は、それぞれ上記実施形態とは異なる形状であってもよい。また、ローラ９０は、３つ以上の部分から構成されてもよい。
【００４８】
［第３の実施形態］
図１３は、第３の実施形態における美容システム１００の概略構成図である。美容システム１００は、美容器３、アダプタ４を有する。美容器３は、ローラ１０の内部に発熱体を有する。ローラ１０は発熱体により温められて遠赤外線放射量が増える。これにより、さらなる美容効果が得られる。
【００４９】
美容器３のハンドル２０には、アダプタ４から電力供給を受ける受電部として、第１受電端子２５１および第２受電端子２５２が設けられる。また、美容器３には、第１受電端子２５１および第２受電端子２５２から、各ローラ１０を支持する支持軸５０に通じる第１導線２６１および第２導線２６２が設けられる。
【００５０】
アダプタ４は、第１給電端子４１、第２給電端子４２、電源ケーブル４５を有する。第１給電端子４１および第２給電端子４２は、電源ケーブル４５に接続されている。アダプタ４に美容器３が置かれると、第１給電端子４１と第１受電端子２５１とが接続し、第２給電端子４２と第２受電端子２５２とが接続する。
【００５１】
図１４は、美容器３の部分断面図である。美容器３は、軸受け６０がニクロムで形成された発熱体となっている。軸受け６０は、カンタル、白銅合金などで形成されてもよく、その一部が発熱体であってもよい。
【００５２】
支持軸５０には、第１電極５１１および第２電極５１２が設けられている。第１電極５１１および第２電極５１２は、それぞれ回転軸方向において異なる位置で支持軸５０の外周面から露出し、軸受け６０に接触する。支持軸５０は、第１電極５１１および第２電極５１２以外が絶縁性材料により形成される。第１電極５１１には、第１導線２６１が接続される。また、第２電極５１２には、第２導線２６２が接続される。
【００５３】
美容器３がアダプタ４に置かれると、第１受電端子２５１および第２受電端子２５２を通じて美容器３に給電される。美容器３では、通電されて温度が上昇した軸受け６０が、ローラ１０を内部から加熱する。ローラ１０は、軸受け６０に加熱されて遠赤外線の放射量が増える。これにより、美容器３は、遠赤外線効果が増大してより高い美容効果が得られる。
【００５４】
以上、第３の実施形態を説明した。第３の実施形態における美容システム１００の美容器３によれば、第１の実施の形態における美容器１と同様の効果を奏することができる。また、美容システム１００の美容器３では、内部の発熱体によりローラ１０が温められるので、より高い遠赤外線効果が得られる。
【００５５】
なお、美容器３のハンドル２０には、軸受け６０に通電する電池と、電池から軸受け６０への通電状態を切り替えるスイッチとを設けてもよい。この場合、使用者がスイッチを操作してローラ１０を加熱できる。また、第２の実施形態における美容器２において、軸受け７５を発熱体としてもよい。この場合には、第３の実施形態における美容器３と同様に、第１受電端子２５１、第２受電端子２５２、第１導線２６１、および第２導線２６２をハンドル２０に設け、第１電極５１１および第２電極５１２を支持軸５０に設ける。
【００５６】
［第４の実施形態］
図１５は、第４の実施形態における美容器５の斜視図である。図１６（ａ）は美容器５の上面図、図１６（ｂ）は正面図、図１６（ｃ）は底面図である。
【００５７】
美容器５は、一対のローラ１１およびハンドル２１を有する。各ローラ１１は、第１の実施形態におけるローラ１０と同様の材料および方法により形成された炭素成形体であり、ハンドル２１に回転可能に支持されている。ローラ１１の表面には、回転軸に沿うように延びる延びる複数の溝１５が形成されている。別の言い方をすると、ローラ１１には、回転軸方向におけるローラ１１の一端側から他端側に向かって放射状に延びる複数の溝１５が形成されている。ハンドル２１は、使用者に把持される本体部２１１、本体部２１１の一端から分岐する二股部２１３を有する。二股部２１３には、ローラ１１を回転可能に支持する支持軸が設けられている。ローラ１１の径、間隔、回転軸の開き角、回転軸がハンドル２１の中心線Ｙに対する傾斜角は、第１の実施形態と同様である。
【００５８】
図１７は、図１６（ａ）のＣ−Ｃ線における断面図である。ハンドル２１は、上カバー体２１５、ハンドルコア２１７、下カバー体２１８を有する。ハンドル２１の製造方法を説明する。まず、上カバー体２１５を樹脂で成形する。上カバー体２１５には、ハンドルコア２１７を位置決めする十字ボス２１６を設ける。次に、二色成形によりハンドルコア２１７を上カバー体２１５と一体に成形する。さらに、下カバー体２１８を、上カバー体２１５、ハンドルコア２１７、および金型に装着した支持軸５１と一体に成形する。ハンドル２１が比較的分厚い場合、ハンドルコア２１７をハンドル２１の厚みに合わせて厚くし、上カバー体２１５とハンドルコア２１７を薄くすれば、外部に露出する上カバー体２１５とハンドルコア２１７にヒケが生じるのを抑止でき、良好な美観のハンドル２１を実現できる。また、インサート成形により支持軸５１をハンドル２１に固定することで、支持軸５１の組み付け誤差を低減できる。これにより、美容器５の個体ばらつきを抑え、２つのローラ１１による摘み上げや押し広げといった機能を担保できる。
【００５９】
図１８は、図１６（ａ）のＤ−Ｄ線における部分断面図である。支持軸５１は、ハンドル２１の下カバー体２１８に固定されている。支持軸５１は、他の部分より径が大きい大径部５１３を有する。大径部５１３には、Ｄカット面５１４が形成されている。Ｄカット面５１４を含む大径部５１３が下カバー体２１８と係り合うことで、支持軸５１がハンドル２１に固定される。下カバー体２１８は、ローラ１１に形成されている軸受け穴１１８の開口周縁部１１４を覆うスカート部２１９を有する。スカート部２１９に覆われて外部に露出しないので、開口周縁部１１４の欠けや割れが発生しにくくなる。また、ローラ１１の内部への異物の侵入が低減する。スカート部２１９は、上カバー体２１５またはハンドルコア２１７に形成されてもよい。
【００６０】
ローラ１１の軸受け穴１１８は、円柱状に窪む穴であり、支持軸５１が挿入される。軸受け穴１１８は、開口側とは反対の奥側端部に、支持軸５１の軸方向に直交する断面における直径が側面１１５から底面１１６に向かって徐々に小さくなるよう傾斜するテーパ面１１７が形成されている。奥側端部への応力集中が抑えられ、軸受け穴１１８から生じる割れの発生が低減する。第１の実施形態と同様に、軸受け穴１１８の奥側端部を曲面としてもよい。軸受け穴１１８の内周面には、後述の軸受け６１の係止爪６０７が嵌る凹部１１９が形成されている。係止爪６０７は、凹部１１９に入った状態で、凹部１１９により形成される段差部１１３に係止される。
【００６１】
支持軸５１には、軸受け６１が取り付けられる。軸受け６１は、外側に突出する係止爪６０７を有するすべり軸受けである。支持軸５１の先端には、軸受け６１が挿入された状態で抜け止めリング５０８が取り付けられる。支持軸５１とともに軸受け６１が軸受け穴１１８に挿入されると、係止爪６０７が軸受け穴１１８の凹部１１９に嵌り、軸受け６１のフランジ部６０８が軸受け穴１１８の開口部に嵌る。ローラ１１が肌に押しあてられて回転すると、ローラ１１とともに軸受け６１も支持軸５１に対して回転する。
【００６２】
ハンドル２１の二股部２１３は、ローラ１１に向かってラッパ状に拡がる形状を有し、図１８のような断面で見た場合に、その延長線Ｌ１、Ｌ２がローラ１１の外周に滑らかに連続するように形成される。これにより、二股部２１３ひいてはハンドル２１とローラ１１とが一体の部材であるかのようなすっきりとした外観となる。
【００６３】
図１９は、図１６（ｂ）のＥ−Ｅ線における断面図である。図１９は、ローラ１１の回転軸を含む平面による断面図である。図１９において、平面Ｐは、ハンドル２１の二股部２１３のローラ１１側の端面に平行な平面を示す。図１９から明らかなように、ローラ１１および二股部２１３は、ローラ１１の回転軸Ｘと平面Ｐの法線Ｎとが非平行であり、かつ、回転軸Ｘに対して他方のローラ１１に近い側のローラ１１の部分ほど、二股部２１３に覆われていない露出部分が多くなるよう形成される。これにより、摘み上げられた肌を二股部２１３が邪魔をすることがなくなるため、使用者は違和感なく使用することができるようになる。
【００６４】
図２０は、ローラ１１の部分断面図を示す。図２０では、ローラ１１の赤道を含む平面による部分断面図を示す。なお、ローラ１１の赤道とは、ローラ１１の回転軸に直交する平面とローラ１１の外周面とが交わってできる大円をいう。各ローラ１１の回転軸Ｘに直交する方向における最大径Ｌ、２つのローラ１１の間隔Ｄ、２つのローラ１１の回転軸の開き角αが第１の実施形態で上述した範囲の寸法である場合、肌３０の摘み上げまたは押し広げを適切に行うためには、あるいは肌との接触面積を大きくして遠赤外線の効果を高めるためには、溝１５に関する各寸法は以下が好ましい。
溝幅Ｗ：１．１〜１．４ｍｍ
溝の間隔Ｇ：０．５〜０．７
溝の深さＨ：０．４〜０．５ｍｍ
溝の数：５０〜６０本
【００６５】
また、溝幅Ｗと溝の深さＨとの関係について、溝幅Ｗに対する溝の深さＨの比が０．３６が好ましい。溝幅Ｗに対する溝の深さＨの比が２．０より大きいと、すなわち溝１５が深すぎると肌が溝１５の底面に接触せず、溝１５があることによって却って接触面積が小さくなる。
【００６６】
以上、第４の実施形態を説明した。第４の実施形態における美容器５によれば、第１の実施の形態における美容器１と同様の効果を奏することができる。また、美容器５によれば、ローラ１１表面に形成された溝１５によりローラ１１のグリップ力が向上するため、より軽い力で簡単に肌を摘み上げたり押し広げたりできる。また、ハンドル２１のスカート部２１９がローラ１１の軸受け穴１１８の開口周縁部１１４を覆うので、ローラ１１の欠けや割れ、内部への異物の侵入が低減する。これにより、ローラ１１が長寿命化して安定的に回転し続けられるので、遠赤外線および摘み上げや押し広げによる美容効果を長期にわたって発揮できる。軸受け６１とハンドル２１との間に衝撃吸収部を設けてもよい。落下時にローラ１１が受けるダメージを軽減し、より長期的に使用可能になる。なお、ローラ１１の表面に凹部として放射状に延びる溝１５を形成した構成を説明したが、凹部はこれに限らない。例えば格子状の溝や、ゴルフボールと同様の複数のディンプルをローラ１１の表面に凹部として形成してもよい。この場合にも、溝１５と同様に肌の摘み上げや押し広げといった効果が向上する。
【００６７】
また、美容器５によれば、ローラ１１に溝１５が形成されていることにより、ローラ１１に溝１５が形成されていない場合と比べてローラ１１の表面積が大きく、したがって肌３０とローラ１１との接触面積が大きくなる。これにより、肌３０からより早くより多くの熱が２つのローラ１０に伝わり、２つのローラ１０がより短時間で肌３０と同程度の温度に温められ、あるいはより肌３０に近い温度すなわちより高い温度に２つのローラ１０が温められ、結果的に、肌の血流およびリンパ液の循環がより促進される。
【００６８】
また、美容器５によれば、ローラ１１に溝１５が形成されていることにより、ローラ１１が回転している場合、ローラ１１が回転していることがひと目で分かる。これにより、例えば製品出荷前の品質試験の１つとしての目視での回転性のチェックが容易となる。
【００６９】
なお、ヒケが生じていない良好な美観のハンドル２１を実現できるのであれば、ハンドル２１は上記実施の形態とは異なる構成であってもよい。例えば、ハンドル２１は、２つの部材、特に、ヒケを生じない程度にそれぞれが薄い２つの部材により構成されてもよい。この場合、ハンドル２１の製造コストを低減できる。また例えば、ハンドル２１は、ブロー成形により形成されてもよい。この場合、ハンドル２１を成形するのに必要な金型が１つでよいため、ハンドル２１の製造コストを低減できる。
【００７０】
第４の実施形態における美容器５の好適な実施例の各部の寸法を示す。
（第１実施例）
開き角α：７０
ローラ間の間隔Ｄ：１１．２ｍｍ
ローラの最大径Ｌ：４０ｍ
溝幅：１．４ｍｍ
溝と溝との距離：０．７ｍｍ
溝の深さ：０．４〜０．５ｍｍ
溝の数：６０本
（第２実施例）
開き角α：７０
ローラ間の間隔Ｄ：７．６ｍｍ
ローラの最大径Ｌ：３３ｍ
溝幅：１．１ｍｍ
溝と溝との距離：０．５〜０．６ｍｍ
溝の深さ：０．４〜０．５ｍｍ
溝の数：６０本
（第３実施例）
開き角α：７０
ローラ間の間隔Ｄ：７．４５ｍｍ
ローラの最大径Ｌ：２７ｍ
溝幅：１．１〜１．２ｍｍ
溝と溝との距離：０．５ｍｍ
溝の深さ：０．４〜０．５ｍｍ
溝の数：５０本
【００７１】
本発明者は、第４の実施形態における美容器５による効果を確認するための試験を行った。具体的には、第４の実施形態における第１実施例の美容器５と、ローラ１１に溝１５が形成されていない点を除いて第１実施例の美容器５と同様に構成された比較例に係る美容器とを用いて、体感の違いを確認するための試験を行った。
【００７２】
試験は、２０代〜４０代の男女１０名（男性：５名、女性：５名）に対して実施した。被験者には、各試験前は２０〜３０分間安静させ、美容器５は右頬に、比較例の美容器は左頬に、それぞれ１０分間使用させた。美容器を動かす速さは、メトロノームに合わせて１分当たりに６０往復の速さとし、ローラ１１を肌に押し当てる強さは本人が気持ちよいと思う強さとした。
【００７３】
試験後、各被験者に、使用後の温かさ（ポカポカ感）の体感を５点満点として評価させたところ、美容器５では平均で４．７点、比較例の美容器では平均で３．７点という結果を得た。この試験より、溝１５があることにより、より肌が温かくなることが分かる。
【００７４】
［第５の実施形態］
図２１〜２４はそれぞれ、第６の実施の形態における美容器ユニット３００の斜視図、正面図、側面図、平面図である。図２５は、置き台３０２の斜視図である。美容器ユニット３００は、美容器５、置き台３０２を有する。
【００７５】
置き台３０２は、略円錐形状を有し、その外周面に凹部３０２ａが形成されている。
【００７６】
美容器５は、ハンドル２１の一部が凹部３０２ａに収容される形で置き台３０２に置かれる。美容器５は特に、ローラ１１が美容器５において最も上側に位置し、ハンドル２１のローラ１１とは反対側の端部が美容器５において最も下側に位置した姿勢で置き台３０２に置かれる。このとき、ハンドル２１の上カバー体２１５が略円錐形状の一部をなし、ハンドル２１ひいては美容器５と置き台３０２とが一体の部材であるかのようなすっきりとした外観となる。また、ローラ１１は、浮いたような状態となる。具体的には、ローラ１１は、置き台３０２およびその他の台や床面等とは非接触（すなわち接地していない）状態で、かつ、その少なくとも一部（例えばその５０％、また例えばその９０％）が置き台３０２の鉛直上方に位置しない状態となる。ローラ１１が置き台３０２等とは非接触であることにより、これによりローラ１１をより衛生的に保つことができる。
【００７７】
図２６は、図２２のＦ−Ｆ線における断面図である。置き台３０２に置かれた状態では、下カバー体２１８が置き台３０２の凹部３０２ａの周壁に寄りかかる。また、上カバー体２１５のローラ１１とは反対側の端部側が置き台３０２に係止される。これにより、ローラ１１の重みで美容器５が倒れるのが抑止され、美容器５が置き台３０２に載置された状態が維持される。
【００７８】
図２７は、図２４のＧ−Ｇ線における部分断面図である。図２７は、図１８に対応する。ただし、図２７では、美容器５が置き台３０２に置かれた姿勢における部分断面図を示している。軸受け穴１１８は、開口が開口とは反対側の端部よりも下方に位置する。これにより、例えば風呂場で美容器５を使用し、軸受け穴１１８に水が浸入した場合、美容器５を置き台３０２に置いておけば、軸受け穴１１８から水が流れ出る。スカート部２１９は、軸受け穴１１８から流れ出た水がハンドル２１内に入るのを抑止するとともにその水が美容器５外に流れ出るようにガイドするよう構成されている。
【００７９】
以上、第６の実施形態を説明した。美容器ユニット３００によれば、美容器５のローラ１１が接地しないため、ローラ１１がより衛生的に保たれる。
【００８０】
以上、本発明について、実施形態をもとに説明した。この実施形態は例示であり、それらの各構成要素あるいは各処理プロセスの組合せにいろいろな変形例が可能なこと、また、そうした変形例も本発明の範囲にあることは当業者に理解されるところである。たとえば、ローラを１つまたは２つ備える構成を例示したが、美容器に設けられるローラの数は３つ以上であってもよい。また、各実施形態における構成は、ローラが炭素成形体以外の樹脂や金属で構成された美容器にも適用できる。さらに、ローラは、セラミック、ガラスなど、放射率が高く遠赤外線効果が得られる他の材料で形成されてもよい。
【００８１】
（変形例１）
図２８は、変形例１における美容器８を示す概略図である。図２８（ａ）は美容器８の上面図、図２８（ｂ）はその正面図である。美容器８は、一対のローラ１３およびハンドル２３を有する。各ローラ１３は、それぞれハンドル２３の一端側から突出する支持軸５３に取り付けられている。２つの支持軸５３は、ローラ１３の回転軸の間隔がハンドル２３から離れるほど大きくなるように設けられている。各ローラ１３は、第１の実施形態におけるローラ１０と同様の材料および方法により形成された球状の炭素成形体である。支持軸５３はハンドル２３の下側かつ他端側に向かって延びるように設けられており、ローラ１３の回転軸Ｘとハンドル２０の中心線Ｙとの傾斜角βは９０度未満とされている。この構成により、中心線Ｙが肌の表面にほぼ平行になるようハンドル２３を持ち、図２８（ｂ）に示す矢印Ｌ方向に動かすと、２つのローラ１３で肌を摘み上げることができる。また、矢印Ｒ方向に動かすと、２つのローラ１３で肌を押し広げることができる。このように、傾斜角βを９０度未満としても、上述の各実施形態と同様の使い方が可能であり、高い美容効果が得られる。
【００８２】
（変形例２）
図２９は、変形例２における美容器９を示す概略図である。図２９（ａ）は美容器９の上面図、図２９（ｂ）はその正面図である。美容器９は、４つのローラ１４およびハンドル２４を有する。各ローラ１４は、第１の実施形態におけるローラ１０と同様の材料および方法により形成された球状の炭素成形体である。ハンドル２４の一端側から突出する２つの支持軸５４に、それぞれローラ１４が取り付けられている。また、ハンドル２４の他端側から突出する２つの支持軸５４に、それぞれローラ１４が取り付けられている。各支持軸５４は、ローラ１４に設けられている窪みに挿入され、ローラ１４を回転可能に支持する。ハンドル２４の一端側の２つの支持軸５４は、２つのローラ１４の回転軸の間隔がハンドル２４から離れるほど大きくなるように設けられている。他端側の２つの支持軸５４も同様に、２つのローラ１４の回転軸の間隔がハンドル２４から離れるほど大きくなるように設けられている。美容器９は、ハンドル２３の一端側の２つのローラ１４および他端側の２つのローラ１４のそれぞれで、肌を摘み上げたり押し広げたりして、同時に２箇所をマッサージできる。なお、一端側のローラ１４および他端側のローラ１４は、少なくとも一方の傾斜角βが９０度未満であってもよい。この場合にも、上述の各実施形態と同様の使い方が可能であり、高い美容効果が得られる。
【００８３】
（変形例３）
第１〜第５の実施形態および上述の変形例では、ローラに形成される軸受け穴が非貫通孔である場合について説明したが、これに限られず、軸受け穴は貫通孔であってもよい。この場合、ローラの製造コストを低減できる。また、第１〜第５の実施形態および上述の変形例では、ローラの軸受け穴に軸受けが挿入され、その軸受けを介してローラが回転可能に指示される場合について説明したが、これに限られない。例えば、軸受け穴の代わりに貫通孔または非貫通孔の支持軸穴がローラに形成され、支持軸が支持軸穴に挿入されて支持軸穴に直接固定され、ハンドルが支持軸を回転可能に支持してもよい。この場合、軸受けを省略できるため、すなわちより簡単な構成とすることができるため、美容器の製造コストを低減できる。
【００８４】
図３０は、変形例における美容器のローラ１６とその周辺を示す。図３０の例では、ローラ１６には支持軸穴１６ａが貫通孔として形成されている。支持軸３５０は、支持軸穴１６ａに挿入されて支持軸穴１６ａに直接固定されている。支持軸３５０の先端３５０ａは、ローラ１６が抜けるのを防ぐために、支持軸穴１６ａに進入不可能に変形されている。例えば支持軸３５０が樹脂製の場合、熱により先端３５０ａ変形させてもよい。また例えば支持軸３５０が金属の場合、圧をかけて先端３５０ａを変形させてもよい。なお、支持軸３５０の先端３５０ａを変形させる代わりに、支持軸３５０の先端に支持軸穴１６ａに進入不可能な別部材を取り付けてもよい。
【００８５】
（変形例４）
第３の実施形態の技術思想と第５の実施形態の技術思想とを組み合わせてもよい。具体的には例えば、第５の実施の形態の置き台３０２は、第３の実施形態のアダプタ４と同様に、第１給電端子４１、第２給電端子４２および電源ケーブル４５を有する。また、第５の実施の形態の美容器５のハンドル２１には、第３の実施形態の美容器３と同様に、第１受電端子２５１および第２受電端子２５２が設けられる。また、美容器５には、第１受電端子２５１および第２受電端子２５２から支持軸３５０に通じる第１導線２６１および第２導線２６２が設けられる。また、各ローラ１１の内部には、支持軸３５０と電気的に接続された発熱体が設けられる。例えば、軸受け６１が発熱体であってもよい。置き台３０２に美容器５が置かれると、第１給電端子４１と第１受電端子２５１とが接続し、第２給電端子４２と第２受電端子２５２とが接続する。そして、これらの端子、導線、および支持軸３５０を介して発熱体に給電され、発熱体が発熱する。各ローラ１１は発熱体からの発熱により温められ、遠赤外線の放射量が増える。
【符号の説明】
【００８６】
１、１Ａ、２、３、５、７、８、９  美容器、  １０、１１、１２、１３、１４  ローラ、  １５  溝、  ２０、２１、２２、２３、２４  ハンドル、  ５０、５１、５３、５４  支持軸、  ６０、６１、７５  軸受け、  １１０、１１８、９１０  軸受け穴、  １１３  段差部、  ６０１、６０７  係止爪。
【図１】
2019013722.tif 000003
【図２】
2019013722.tif 000004
【図３】
2019013722.tif 000005
【図４】
2019013722.tif 000006
【図５】
2019013722.tif 000007
【図６】
2019013722.tif 000008
【図７】
2019013722.tif 000009
【図８】
2019013722.tif 000010
【図９】
2019013722.tif 000011
【図１０】
2019013722.tif 000012
【図１１】
2019013722.tif 000013
【図１２】
2019013722.tif 000014
【図１３】
2019013722.tif 000015
【図１４】
2019013722.tif 000016
【図１５】
2019013722.tif 000017
【図１６】
2019013722.tif 000018
【図１７】
2019013722.tif 000019
【図１８】
2019013722.tif 000020
【図１９】
2019013722.tif 000021
【図２０】
2019013722.tif 000022
【図２１】
2019013722.tif 000023
【図２２】
2019013722.tif 000024
【図２３】
2019013722.tif 000025
【図２４】
2019013722.tif 000026
【図２５】
2019013722.tif 000027
【図２６】
2019013722.tif 000028
【図２７】
2019013722.tif 000029
【図２８】
2019013722.tif 000030
【図２９】
2019013722.tif 000031
【図３０】
2019013722.tif 000032